(57)【要約】【課題】  はき物のヒール部によってもたらされる肌のすりむき、不快感、あるいは、切傷を減少させるガーメントを提供することを課題とする。【解決手段】  ガーメントは、少なくとも装着者１２の足を包み込む、足首部１６と足部１８とを含む本体１４と、前記本体１４の足首部１６に配置されるクッション２０とから成り、前記クッション２０は、はき物２４、２６のヒール部２２による擦過から装着者１２の足首３２を保護し得る形状にされる。【選択図】図１
2010185161.tif 000002
【特許請求の範囲】
【請求項１】
少なくとも装着者の足を包み込むように形成される、足首部と足部とから成る本体と、はき物のヒール部によってもたらされる擦過から装着者の足首を保護する形状に形成されて、前記本体部の足首部に配置されるクッションとから成るガーメント。
【請求項２】
前記クッションは、綿、発泡材、羽毛、ポリエステル、絹、リンネル、ジェル、ラバー及びプラスチックから成る群から選ばれる材料製である、請求項１に記載のガーメント。
【請求項３】
前記クッションは、前記足首部後面から足首部の周辺を部分的に覆う水平部を含む、請求項１に記載のガーメント。
【請求項４】
前記クッションは、前記水平部から少なくとも部分的にヒール部にまで延びる垂直リップを備える、請求項３に記載のガーメント。
【請求項５】
前記クッションは、靴下状ガーメントの本体に縫い込まれる、請求項１に記載のガーメント。
【請求項６】
前記クッションは、前記本体と前記本体に縫い込まれる織物層との間に配置される、請求項１に記載のガーメント。
【請求項７】
前記クッションは、ドレスシューズ、カジュアルシューズ、ハイヒール、ブーツ、スニーカー、テニスシューズ、整形用シューズ、バスケットボールシューズ、ランニングシューズ、アイススケート靴、滑り止め付きアスレチックシューズ、スキーブーツ、クロストレーナーシューズ、サンダル、及びフラッツから成る群から選ばれるはき物のヒール部によってもたらされる擦過から装着者の足首を保護する形状に形成される、請求項１に記載のガーメント。
【請求項８】
前記ガーメントは、ドレスソックス、カジュアルソックス、ストッキング、レギンス、トウソックス、タイツ、サイハイソックス、及びアスレチックソックスから成る群から選ばれるガーメントである、請求項１に記載のガーメント。
【請求項９】
装着者の足首を包囲するように形成されるガーメントであって、ソックスのヒール部上方に配置されて少なくとも部分的に前記ソックスの足首部周辺にまで延び、はき物のヒール部から装着者を保護する形状に形成されるクッションを含むガーメント。
【請求項１０】
前記クッションは、水平部から少なくとも部分的に前記ヒール部にまで延びる垂直リップを備える、請求項９に記載のガーメント。
【請求項１１】
前記垂直リップは、高さがまちまちである複数のはき物から装着者を保護する、請求項１０に記載のガーメント。
【請求項１２】
前記クッションは、綿、発泡材、羽毛、ポリエステル、絹、リンネル、ジェル、ラバー及びプラスチックから成る群から選ばれる材料製である、請求項９に記載のガーメント。
【請求項１３】
前記クッションは、ソックスに縫い込まれる、請求項９に記載のガーメント。
【請求項１４】
前記クッションは、前記ソックスと前記ソックスに縫い込まれる織物層との間に配置される、請求項９に記載のガーメント。
【請求項１５】
前記クッションは、ドレスシューズ、カジュアルシューズ、ハイヒール、ブーツ、スニーカー、テニスシューズ、整形用シューズ、バスケットボールシューズ、ランニングシューズ、アイススケート靴、滑り止め付きアスレチックシューズ、スキーブーツ、クロストレーナーシューズ、サンダル、及びフラッツから成る群から選ばれるはき物のヒール部によってもたらされる擦過から装着者の足首を保護する形状に形成される、請求項９に記載のガーメント。
【請求項１６】
はき物のヒール部によりもたらされる擦過からガーメントの装着者の足首を保護する形状に形成されるクッションを、前記ガーメントの足首部に取り付ける工程を含む、ガーメントの製造方法。
【請求項１７】
前記クッションをガーメントの足首部に配置することと、織物層を前記クッションの周辺に縫い付けることから成る縫い付け工程を含む、請求項１６に記載のガーメントの製造方法。
【請求項１８】
前記クッションを前記ガーメントに縫い付ける工程を更に含む、請求項１６に記載のガーメントの製造方法。
【発明の詳細な説明】
【技術分野】
【０００１】
本発明は、概して言えば、足首部分を覆う靴下状のガーメント、及び、その製造方法に関するものである。より詳細には、本発明は、シューズ類のヒールによってもたらされる不快感から足首を保護するために用いられる、足首部分を快適に保持するパッドに関するものである。
【背景技術】
【０００２】
脚部及び足部をカバーするガーメントは、レギンス、ソックス、ストッキング、タイツその他の靴下類の形態とされる。これらのガーメントは、足を保温し、装着者に快適感を与え、足の清潔状態を保持し、また、ファッション性を付与するといった作用効果を奏する。加えて、これらのガーメントは、しばしば足の汗を吸収し、蒸発可能な部位に出す役割を果たす。寒冷な環境下においては、ソックスのようなガーメントは、水分を除去する一方で保温機能を発揮し、凍傷を防止する役割を果たす。更に、靴下類は、足とはき物との間の擦過や違和感を和らげる。ドレスシューズ、ホッケースケート、スキーブーツ、競技用シューズ、あるいは、ハイヒールのような特殊タイプのはき物においては、上記ガーメントの使用にも関わらず、はき物のヒール部が強く当たったり擦れたりすることで、しばしば装着者に不快感を与える。これと同じことが、硬くてまだはき慣れていない新しいはき物をはいた場合にも起こる。
【先行技術文献】
【特許文献】
【０００３】
【特許文献１】特開平１１−６１５０６号公報
【特許文献２】実用新案登録第３０８３５２５号公報
【発明の概要】
【発明が解決しようとする課題】
【０００４】
かくして、はき物のヒール部によってもたらされる肌のすりむき、不快感、あるいは、
切傷を減少させるガーメントの出現が切望されているところ、本発明はその要望に応える
ことを課題としてなされたものである。
【課題を解決するための手段】
【０００５】
本発明の一態様によれば、ガーメントは、少なくとも装着者の足を包み込む、足首部と足部とを含む本体と、前記本体の足首部に配置されるクッションとから成り、前記クッションは、はき物のヒール部による擦過から装着者の足首を保護し得る形状にされる。
【０００６】
本発明の他の態様によれば、装着者の足を包囲するように形成されるガーメントは、ソックスのヒール部上方に配置されて、少なくとも部分的にソックスの足首部周辺にまで延びるクッションを含み、前記クッションは、はき物のヒール部から装着者を保護し得る形状に形成される。
【０００７】
本発明の更に他の態様によれば、靴下状ガーメントの製造方法は、前記靴下状ガーメントの足首部にクッションを取り付ける工程を含み、そこにおいて前記クッションは、はき物のヒール部によりもたらされる擦過から前記靴下状ガーメントの装着者の足首を保護し得る形状に形成される。
【図面の簡単な説明】
【０００８】
【図１】本発明の一実施態様による、装着者により装着されたクッションを備えたソックスの斜視図である。
【図２】本発明の一実施態様による、装着者により装着された図１のソックスの矢印２方向から見た斜視図である。
【図３】本発明の一実施態様による、装着者により装着された図１のソックスのクッションの拡大断面図である。
【図４】本発明の一実施態様による、装着者によりドレスシューズと共に装着された図１のソックスの斜視図である。
【図５】本発明の別の実施態様により、本クッションを利用したストッキングが、装着者によりハイヒールと共に装着された状態を示す斜視図である。
【発明を実施するための形態】
【０００９】
本発明の骨子は、特に特許請求の範囲に摘示され且つ明確にされているが、本発明の上記及び他の特徴並びに優位点は、添付図面を参照しつつ以下の詳細な説明を読むことにより、明らかとなる。以下に詳細に述べる実施形態についての説明は、あくまで例示であって、本発明は、以下に説明され、図示された実施形態に限定されるものではない。
【００１０】
先ず図１を参照するに、そこには、本発明の一実施形態に係るソックス１０が示されている。ソックス１０は、一般のものと同様に、装着者１２の少なくとも足を被装するように形成される。ソックス１０は、足首部１６と足部１８とから成る本体１４を含む。クッション２０は本体１４の足首部１６に配置され、部分的にソックス１０の足首部１６周辺にまで延びる。クッション２０は、装着者１２の足首又はアキレス腱を、はき物２４、２６（下記図４、５参照）のヒール部２２から受ける衝撃によってもたらされる擦過及び不快感から保護するように形成される。クッション２０は、擦過を受ける可能性が高い足首の後ろ側、あるいは、アキレス腱部分において、ソックス１０に厚みを付与する。但し、クッション２０は、本体１４の残りの部分全体が好適な厚さを保持することを阻害するものではない。
【００１１】
図２には、図１において矢印２で示された方向から見た、装着者１２により装着されたソックス１０の後面が示されている。クッション２０は、ソックス１０の後ろ側３０から足首部１６の周辺を部分的に覆う水平部２８を有している。水平部２８は、はき物２４、２６のヒール部２２の高さ位置において、装着者１２の足首３２に対する当て物としての役割を果たす（図３参照）。クッション２０は、クッションと称する代わりにパッド、サポーターあるいは隔離部材と称することもできる。一実施形態において水平部２８は、２乃至５インチ（５．０８乃至１２．７ｃｍ）の幅とされるが、これに限られる訳ではなく、適宜幅とすることができる。また、クッション２０は、水平部２８から少なくとも部分的にソックス１０のヒールコーナー３６にまで延びる垂直リップ（舌状部）３４を備えるものとして示されている。垂直リップ３４は、装着者１２の足首３２を保護するもので、高さが種々異なるはき物２４、２６の各ヒール部２２に対応し得るように、長さ的に余裕を有している。一実施形態においては、垂直リップ３４は、１乃至３インチ（２．５４乃至７．６２ｃｍ）の長さとされるが、これに限られる訳ではなく、適宜長さとすることができる。また、クッション２０の形状は、図示された実施形態のＴ字形状に限定される訳ではないことを理解されたい。更に、Ｔ字形状のトップ、即ち、水平部２８は、ソックス１０と共に装着されることが予定されるはき物から保護するのに適合するように、如何なる態様にも角度付けすることができる。クッションの形状は、楕円形状、三角形状等の多角形状その他適宜形状のものとなし得る。
【００１２】
図３は、装着者１２により装着された図１のソックス１０のクッション２０の拡大断面図である。クッション２０は本体１４と織物層３８との間に配置される。織物層３８は、縫い目４０に沿って本体１４に縫い込まれる。これに代わる実施形態においては、クッション２０は、縫い付け、タック、リベット留めあるいは他の実施可能な固着手段によって、ソックス１０の本体１４に直接固着される。実施可能な固着手段としては、天然接着剤、合成接着剤、面ファスナー、コンタクト接着剤、熱硬化性又は反応性接着剤等が考えられる。また、クッション２０は綿製とすることができる。但し、クッション２０は、綿に限られる訳ではなく、それに類する材料製となし得ることは、当業者が容易に理解し得るところであろう。例えば、クッション２０は、発泡材、羽毛、ポリエステル、絹、エア、リンネル、ジェルその他の液材、ラバー、合成プラスチック、あるいは、ゴアテックス（登録商標）のような、肌の擦過を引き起こす水分を除去する防水透湿性素材となし得る。クッション２０は、ソックス１０と同一素材を積層して２倍又はそれ以上の厚さとすることができる。
【００１３】
図４は、本発明の一実施態様による、装着者１２によりドレスシューズ２４と共に装着されたソックス１０を示す斜視図である。また、図５は、本発明の別の実施態様により、本クッション２０を備えたストッキング４２が、装着者１２によりハイヒール２６と共に装着された状態を示す斜視図である。この場合クッション２０の水平部２８は、ハイヒール２６のヒール部により装着者の足が高く保持されるという事実に適応させるため、典型的ハイヒールの本体に沿うように下方に向けられる。上述したように、本発明においてはクッション２０の形状は、如何なる角度にも、また、如何なる形状にもなし得る。また、クッション２０は、如何なるタイプのはき物であっても、そのヒール２２からの擦傷から装着者１２を保護するように形成されるものである。クッション２０は、ドレスシューズ２４やハイヒール２６の場合だけでなく、カジュアルシューズ、ブーツ、スニーカー、テニスシューズ、整形用シューズ、バスケットボールシューズ、ランニングシューズ、アイススケート靴、滑り止め付きアスレチックシューズ、スキーブーツ、クロストレーナーシューズ、サンダル、及びフラッツについても、それらから受ける擦傷から装着者１２を保護し得るように形成される。更に、クッション２０は、ソックス１０やストッキング４２だけでなく、如何なる態様の靴下類についても同様に適用し得るものであることを理解されたい。例えば、クッション２０は、ドレスソックス、カジュアルソックス、レギンス、トウソックス、タイツ、サイハイソックス、あるいは、競技用ソックスについても適用可能である。
【００１４】
本発明の更に他の態様においては、はき物２４、２６のヒール部２２によりもたらされる擦傷からガーメント１０の装着者１２の足首３２を保護する形状に形成されるクッション２０をガーメント１０の足首部１６に取り付ける工程から成る、ガーメント１０の製造方法を含む。該方法は、クッション２０をガーメント１０の足首部１６に配置し、クッション２０の周囲を足首部１６に縫い付け、固着し、あるいは、接着することから成る縫い付け工程を含む。代わりにこの方法は、クッション２０をガーメント１０の足首部１６に配置し、クッション２０の周囲において織物層３８を足首部１６に縫い付ける工程を含む。
【００１５】
本発明を、その限られた実施形態について詳細に説明してきたが、本発明はそれらの実施形態に限定されるものではないことは容易に理解されるであろう。本発明は、その精神及び範囲を逸脱しない範囲において、上述した以外の種々の変形、変更、置き換え、同等の組み合わせが可能である。また、本発明のいくつかの観点においては、種々述べてきた実施形態のうちのいくつかしか含まないことを理解すべきである。よって、本発明は、添付請求の範囲において限定した以外は、その特定の実施形態に制約されるものではない。
【符号の説明】
【００１６】
１０    ソックス
１２    装着者
１４    本体
１６    足首部
１８    足部
２０    クッション
２２    ヒール部
２４    はき物
２６    はき物
２８    水平部
３０    ソックスの後ろ側
３２    足首
３４    垂直リップ
３６    ヒールコーナー
３８    織物層
４０    縫い目
４２    ストッキング
【図１】
2010185161.tif 000003
【図２】
2010185161.tif 000004
【図３】
2010185161.tif 000005
【図４】
2010185161.tif 000006
【図５】
2010185161.tif 000007